(57)【要約】      （修正有）【課題】マスク本体の両側部が肌に接触しても、着用者の肌を強く刺激するおそれがない使い捨てマスクを提供する。【解決手段】本発明の使い捨てマスク１０は、上下方向Ｙ及び幅方向Ｘを有し、口鼻覆い部２１を有するマスク本体２０と、マスク本体２０の両側部２２に取り付けられる一対の耳掛け部４０とを含む。耳掛け部の両端は、マスク本体の側部に位置して上下方向へ離隔する上固定部６１及び下固定部６２を介してマスク本体に固定されている。マスク本体の両側部は、上固定部及び下固定部にそれぞれ隣接して後方側へ向けて突出する一対の凸部（上凸曲部分５１及び下凸曲部分５２）と、一対の凸部の間に位置して前方側へ向けて凹む凹部（凹曲部分５３）とを有している。一対の凸部及び凹部の輪郭は曲線状を有し、凹部の輪郭の曲率半径が、一対の凸部の輪郭における曲率半径よりも小さい。【選択図】図３
2019183356.tif 000002
【特許請求の範囲】
【請求項１】
上下方向及び幅方向を有し、口鼻覆い部を有するマスク本体と、前記マスク本体の両側部に取り付けられる一対の耳掛け部とを含む使い捨てマスクにおいて、
前記耳掛け部の両端は、前記マスク本体の側部に位置して前記上下方向へ離隔する上固定部及び下固定部を介して前記マスク本体に固定され、
前記マスク本体の両側部は、前記上固定部及び前記下固定部にそれぞれ隣接して後方側へ向けて突出する一対の凸部と、前記一対の凸部の間に位置して前方側へ向けて凹む凹部とを有し、
前記一対の凸部及び前記凹部の輪郭は曲線状を有し、前記凹部の輪郭の曲率半径が、前記一対の凸部の輪郭における曲率半径よりも小さいことを特徴とするマスク。
【請求項２】
前記口鼻覆い部の前記幅方向の両側に位置する溶着部は、前記上下方向へ列状に配置してあり、
前記上下方向へ列状に配置した溶着部の中央部が前記凹部に隣接する請求項１に記載のマスク。
【請求項３】
前記マスク本体は、前記上下方向の寸法を２等分する横中心線を有し、前記幅方向の中央に位置するシールラインを介して折り畳むことが可能であって、
前記マスク本体を展開した状態においては、前記マスク本体の上端部が前記幅方向の中央において上方へ凸曲した形状を有し、
前記シールラインは、前記マスク本体が折り畳まれた状態の側面視において曲線状であって、前記シールラインの上端縁と前記横中心線との間に位置する上変曲点と、前記シールラインの下端縁と前記横中心線との間において前記下固定部の中心点よりも下方に位置する下変曲点とを有し、
前記上固定部の中心点と前記シールラインの上端縁とを結ぶ第１仮想線と前記上変曲点と前記シールラインの上端縁とを結ぶ第２仮想線とが交差してなる第１交角は、前記下固定部の中心点と前記シールラインの下端縁とを結ぶ第３仮想線と前記下変曲点と前記シールラインの下端縁とを結ぶ第４仮想線とが交差してなる第２交角よりも小さく、かつ、前記第２仮想線は前記第４仮想線よりも長く、
前記マスク本体の上端部の一部は、前記第１仮想線よりも上方に位置している請求項１に記載のマスク。
【請求項４】
前記マスク本体は、熱可塑性合成樹脂で形成された繊維不織布のシートを複数積層することによって形成してあり、
前記シートは、前記シールライン及び前記マスク本体の周縁に位置する溶着部のみによって互いに接合してある請求項３に記載のマスク。
【請求項５】
前記マスク本体の上端縁は、前記幅方向の中央部分において上方へ凸曲する中央部位と、前記中央部位の両側において下方へ凸曲した形状を有する両側部位とを有する請求項１〜４のいずれかに記載のマスク。
【請求項６】
幼児用である請求項１〜５のいずれかに記載のマスク。
【発明の詳細な説明】
【技術分野】
【０００１】
本発明は、使い捨てマスクに関する。
【背景技術】
【０００２】
特許文献１には、熱可塑性の繊維不織布及び綿のガーゼから形成されたマスク本体と、マスク本体の両側縁から環状に延びる一対の耳掛け部とを有する使い捨てマスクが開示されている。
【０００３】
このマスクによれば、マスク本体が長方形状を有することによって容易に製造することができる。
【先行技術文献】
【特許文献】
【０００４】
【特許文献１】実用新案登録第３０７３３５０号公報（Ｕ３０７３３５０）
【発明の概要】
【発明が解決しようとする課題】
【０００５】
特許文献１に開示された使い捨てマスクでは、マスク本体が長方形状を有しているため、マスク本体の両側部に位置するコーナー部が着用者の肌に接触したときには、着用者の肌を強く刺激するおそれがあった。
【０００６】
本発明は、マスク本体の両側部が肌に接触しても、着用者の肌を強く刺激するおそれがない使い捨てマスクの提供を課題にしている。
【課題を解決するための手段】
【０００７】
上述した課題を解決するために、本発明は、上下方向及び幅方向を有し、口鼻覆い部を有するマスク本体と、マスク本体の両側部に取り付けられる一対の耳掛け部とを含む使い捨てマスクを対象とする。
【０００８】
本発明に係る使い捨てマスクは、耳掛け部の両端は、マスク本体の側部に位置して上下方向へ離隔する上固定部及び下固定部を介してマスク本体に固定され、マスク本体の両側部は、上固定部及び下固定部にそれぞれ隣接して後方側へ向けて突出する一対の凸部と、一対の凸部の間に位置して前方側へ向けて凹む凹部とを有し、一対の凸部及び前記凹部の輪郭は曲線状を有し、マスク本体の凹部の輪郭の曲率半径が、一対の凸部の輪郭における曲率半径よりも小さいことを特徴とする。
【０００９】
マスク本体の凹部の輪郭の曲率半径が、一対の凸部の輪郭における曲率半径よりも小さい。このため、小型のマスクを提供することができる。
【００１０】
マスク本体の口鼻覆い部の幅方向の両側に位置する溶着部は、上下方向へ列状に配置してあり、上下方向へ列状に配置した溶着部の中央部が凹部に隣接する。口鼻覆い部を形成する複数枚のシートが剥離するのを防止することができるとともに、凹部に隣接する箇所の剛性を向上することができ、着用時、両側部が顔面から浮き上がるのを防止することができる。
【００１１】
マスク本体の耳掛け部の両端は、マスク本体の側部に位置して上下方向へ離隔する上固定部及び下固定部を介してマスク本体に固定され、マスク本体は、上下方向の寸法を２等分する横中心線を有し、幅方向の中央に位置するシールラインを介して折り畳むことが可能であって、マスク本体を展開した状態においては、マスク本体の上端部が幅方向の中央において上方へ凸曲した形状を有し、シールラインは、マスク本体が折り畳まれた状態の側面視において曲線状であって、シールラインの上端縁と横中心線との間に位置する上変曲点と、シールラインの下端縁と横中心線との間において下固定部の中心点よりも下方に位置する下変曲点とを有し、上固定部の中心点とシールラインの上端縁とを結ぶ第１仮想線と上変曲点とシールラインの上端縁とを結ぶ第２仮想線とが交差してなる第１交角は、下固定部の中心点とシールラインの下端縁とを結ぶ第３仮想線と下変曲点とシールラインの下端縁とを結ぶ第４仮想線とが交差してなる第２交角よりも小さく、かつ、第２仮想線は第４仮想線よりも長く、マスク本体の上端部の一部は、第１仮想線よりも上方に位置している。換言すれば、第１に、上固定部の中心点とシールラインの上端縁とを結ぶ第１仮想線と、上変曲点とシールラインの上端縁とを結ぶ第２仮想線とが交差してなる第１交角は、下固定部の中心点とシールラインの下端縁とを結ぶ第３仮想線と、下変曲点とシールラインの下端縁とを結ぶ第４仮想線とが交差してなる第２交角よりも大きく、第２に、マスク本体の上端部は、幅方向の中央において凸曲した形状を有し、上端部の一部は、第１仮想線よりも上方に位置し、第３に、第２仮想線は、第４仮想線よりも長い。これらの３つの要件を全て備えることによって、マスクが顔面に隙間なくフィットする。
【００１２】
マスク本体は、熱可塑性合成樹脂で形成された繊維不織布のシートを複数積層することによって形成してあり、シートは、シールライン及びマスク本体の周縁に位置する溶着部のみによって互いに接合してある。このため、口鼻覆い部は、柔軟性及び通気性に優れている。
【００１３】
マスク本体の上端縁は、幅方向の中央部分において上方へ凸曲する中央部位と、中央部位の両側において下方へ凸曲した形状を有す両側部位とを有する。このため、着用中にマスク本体が上方へずれても、両側部位によって、目にマスクの上端縁が当たるのを防止することができる。
【００１４】
マスクは幼児用であるため、上記の作用・効果を奏する幼児用のマスクを提供することができる。
【発明の効果】
【００１５】
本発明に係る使い捨てマスクによれば、マスク本体の両側部は、上固定部及び下固定部にそれぞれ隣接して後方側へ向けて突出する一対の凸部と、一対の凸部の間に位置して前方側へ向けて凹む凹部とを有し、一対の凸部及び凹部の輪郭は曲線状を有しているため、マスク本体の両側部が着用者の肌に接触しても、着用者の肌を強く刺激するおそれがない。
【図面の簡単な説明】
【００１６】
図面は、本発明の特定の実施の形態を示し、発明の不可欠な構成ばかりでなく、選択的及び好ましい実施の形態を含む。
【図１】本発明に係る使い捨てマスクにおけるマスク本体が折り畳まれた状態の側面図。
【図２】マスク本体を展開した状態の正面図。
【図３】図１と同様のマスク側面図。
【図４】図２のＩＶ（ａ）−ＩＶ（ａ）線に沿う断面図。（ｂ）シールラインの形状を形成する各円弧を仮想線で示したシールラインの側面図。
【図５】着用状態におけるマスクの側面図。
【図６】着用状態におけるマスクの正面図。
【発明を実施するための形態】
【００１７】
下記の実施の形態は、本発明に係る使い捨てマスク１０に関し、発明の不可欠な構成ばかりではなく、選択的及び好ましい構成を含む。図１及び図３では、マスク１０の折り畳まれた状態の左半体パネル２０２の構成について説明しているが、右半体パネル２０１についても同様の構成を有する。
【００１８】
図１〜図３を参照すると、本発明の使い捨てマスク１０の一例として示す、マスク１０は、互いに交差（直交する）する上下方向Ｙ及び幅方向Ｘを有し、肌対向面及びそれに対向する非肌対向面と、マスク本体２０と、マスク本体２０の両側縁２０ｃ，２０ｄから延びる環状の一対の耳掛け部４０とを含む。マスク本体２０は、上下方向Ｙの寸法を２等分する仮想点で画成されたラインＱと幅方向Ｘの寸法を２等分する縦中心線Ｐとを有し、縦中心線Ｐに隣接して上下方向へ延びるシールライン３０を有する（図１〜図３参照）。本明細書におけるラインＱは、マスク本体２０の後述する上端縁２０ａおよび下端縁２０ｂの上下方向Ｙの寸法を２等分する仮想点を連結することによって画成された幅方向Ｘへ延びる曲線である。なお、ラインＱは直線であってもよい。また、本明細書において、マスク本体２０の着用状態を考慮して、幅方向Ｘの中央を前方といい、幅方向Ｘの端縁を後方ということがある。
【００１９】
マスク本体２０は、縦軸Ｐに関して対称の形状を有し、着用者の顔面の右側を被覆する右半体パネル２０１と左側を被覆する左半体パネル２０２とを有する。右半体パネル２０１と左半体パネル２０２との幅方向Ｘの内側に位置する内側縁部の内面どうしが、シールライン３０を介して合掌状に接合されることによって、マスク１０は、展開した状態において立体的な態様を有する。
【００２０】
マスク１０は、左右半体パネル２０１，２０２の内側縁部の内面どうしが当接された状態で接合されていることから、常時、左右半体パネル２０１，２０２の内面どうしが互いに対向又は/及び当接した状態にある。マスク本体２０は、着用者の顔面に対向する肌対向面と反対側に位置する非肌対向面とを有する。本明細書において、肌対向面は内面、非肌対向面は外面ともいう。
【００２１】
マスク本体２０は、複数の繊維不織布を積層して形成されたものであって、着用者の口及び鼻を覆う部分である口鼻覆い部２１（フィルター領域）と、両側部２２とを有する。マスク本体２０は、上端縁２０ａと、下端縁２０ｂと、上下端縁２０ａ，２０ｂの間において上下方向Ｙへ延びる両側縁２０ｃ，２０ｄとを有する。
【００２２】
マスク本体２０の上端縁２０ａは、ウエーブ状であって、幅方向Ｘの中央部分において上方へ凸曲する中央部位３６ａと、中央部位３６ａの両側において下方へ凸曲した形状を有す両側部位３６ｂとを有する。上端縁２０ａがかかる形状を有することによって、マスク本体２０の上端部２７は、幅方向Ｘの中央部において凸曲した形状を有する。マスク本体２０の両側縁２０ｃ，２０ｄは、幅方向Ｘの外側へ二股状に凸曲した形状を有し、下端縁２０ｂは、両側縁２０ｃ，２０ｄから下方に僅かに湾曲して延びる略Ｖ字状を有する。
【００２３】
マスク１０は、主として３〜６歳迄の低年齢層を対象とした、いわゆる幼児用のマスクであって、外形寸法が比較的に小さく、図２を参照すると、例えば、マスク本体２０の幅方向Ｘの寸法Ｗ１は、１３０〜１９０ｍｍであり、上下方向の寸法Ｗ２は、１００〜１２０ｍｍである。マスク本体２０は、展開した状態において略星形を有し、単なる矩形状、楕円形状等を有する従来の大人用のマスクとは異なる特異なデザイン性を有する。したがって、着用対象者である幼児に対して、丸みのある可愛らしい印象を与えて購買意欲を惹起することができる。
【００２４】
図２及び図４を参照すると、マスク本体２０は、（幅方向Ｘ及び上下方向Ｙにそれぞれ交差（直交）する）厚さ方向Ｚにおいて積層された複数枚の繊維不織布から形成してあり、口鼻覆い部２１の非肌対向面を形成する外層シート２３と、外層シート２３から順に肌対向面側に積層された、第１中間層シート（外側中間層）２４、第２中間層シート（内側中間層）２５、及び内層シート２６とを有する。内層シート２６は、口鼻覆い部２１の肌対向面を形成している。外層シート２３と第１中間層シート２４とは、第２中間層シート２５及び内層シート２６よりも幅方向Ｘにおける寸法が小さく、マスク本体２０の両側部２２は第２中間層シート２５と内層シート２６とから形成されている。
【００２５】
マスク本体２０の周縁に位置するシートは、図２に示すように、周縁に沿って間隔を空けて配置した溶着部３８ａ，３８ｂによって互いに接合されている。より詳細に説明すると、口鼻覆い部２１に位置するシート２３，２４，２５，２６は、第１溶着部３８ａによって互いに接合され、両側部２２に位置する第２中間層シート２５及び内層シート２６は、第２溶着部３８ｂによって互いに接合されている。第１溶着部３８ａ及び第２溶着部３８ｂによって、マスク本体２０を環状に囲む外周シール域３８が画成される。また、第１溶着部３８ａ及び第２溶着部３８ｂのそれぞれは、楕円形状であるため、着用者及び第三者に柔らかいイメージを与えることができる。
【００２６】
口鼻覆い部２１の両側部２１ａには、上下方向Ｙにおいて間隔を空けて配置した第３溶着部３９ａ，３９ｂが、上下方向Ｙへ沿って間隔を空けて配置され、シート２３，２４，２５，２６が互いに接合されている。第３溶着部３９ａ，３９ｂによって、口鼻覆い部２１を形成するシート２３，２４がシート２５，２６から剥離するのを防止することができる。また、上下方向Ｙへ列状に配置した第３溶着部３９ａ，３９ｂの中央部が凹曲部分５３に隣接する。このため、凹曲部分５３に隣接する箇所の剛性を向上することができ、着用時、両側部２２が顔面から浮き上がるのを防止することができる。
【００２７】
マスク本体２０を形成する複数のシートは、マスク本体２０の外周縁に沿って延びる外周シール域３８によって互いに接合されている。また、各シート２３〜２６は、口鼻覆い部２１の幅方向Ｘの両側において、上下方向Ｙへ延びる縦断シール域３９によって互いに接合されている。縦断シール域３９は、ウエーブ状（曲線状）であって、上側及び下側において、後方へ凸曲するとともに、中央において前方へ凸曲した湾曲形状を有する。湾曲形状の縦断シール域３９によって、着用者及び第三者に柔らかいイメージを与えることができる。なお、縦断シール域３９は、間隔をあけて直線状に配置した第３溶着部によって形成してもよい。
【００２８】
図４（ａ）を参照すると、外層シート２３と第１中間層シート２４との外側縁２３ａ，２４ａは縦断シール域３９よりも幅方向Ｘの外側に位置しており、縦断シール域３９から幅方向Ｘの外側に延びる外層シート２３の一部と第１中間層シート２４の一部とによってドライエッジ部分７０が形成されている。
【００２９】
外周シール域３８は、マスク本体２０の外周縁に沿って互いに間隔を空けて配置された複数の溶着部３８ａ，３８ｂを有する。縦断シール域３９は、口鼻覆い部２１の両側部２１ａの上下方向Ｙにおいて互いに間隔を空けて配置された複数の溶着部３９ａ，３９ｂを有する。縦断シール域３９の溶着部３９ｂは先端が曲状の略星形であって、溶着部３９ａは、大きさの異なる円形状である。各溶着部３８ａ，３８ｂ，３９ａ，３９ｂは、先尖状部分を有しておらず、曲状部分のみから形成されていることから、着用者に対して、比較的に剛性の高い各溶着部３８ａ，３８ｂ，３９ａ，３９ｂに肌が当たっても刺激が与えられることのないような柔軟な印象を与えることができる。加えて、各溶着部３８ａ，３８ｂ，３９ａ，３９ｂは、上下端縁２０ａ，２０ｂ及び両側縁２０ｃ，２０ｄから離れて位置するため、シート２３〜２６の溶着の際、シート２３〜２６の切れ端が発生することがないから、シート２３〜２６の切れ端が肌に対して刺激を与えることがない。また、溶着部３９ａ，３９ｂがデザイン性を有することから、縦断シール域３９は装飾要素としての機能も発揮しうる。
【００３０】
各シート２３〜２６は、シールライン３０を除き、外周シール域３８及び縦断シール域３９においてのみ互いに接合され、他の部分においては接合されていない。したがって、複数の繊維不織布を積層して形成されたシートの対向面全体が接着剤等の接合手段で互いに接合されている場合に比して、マスク本体２０は柔軟性及び通気性に優れる。また、外周シール域３８と縦断シール域３９とが互いに交差する部分において、各溶着部３８ａ，３８ｂ，３９ａ，３９ｂが互いに重なり合っていない。それによって、各溶着部が互いに重なり合うことによって局所的に剛性の高い部分が形成されるのを抑制している。
【００３１】
マスク本体２０を形成するシート２３〜２６は、例えば、質量１０〜６０ｇ／ｍ２の通気性を有する熱可塑性合成樹脂の繊維不織布シートであって、メルトブローン繊維不織布、スパンボンド繊維不織布、ＳＭＳ繊維不織布及びエアスルー繊維不織布等の各種公知の繊維不織布から形成することができる。第１中間層シート２４は、微粒子の通過を阻止するフィルター機能を有する繊維不織布を用いることが好ましい。また、第２中間層シート２５は、マスク本体２０のベースシートとして機能するように比較的にシート強度の強い繊維不織布を用いることが好ましい。内層シート２６には、着用者の肌に接触するため、肌触りの良好な繊維不織布を用いることが好ましい。
【００３２】
本実施形態においては、例えば、外層シート２３として質量３５〜５０ｇ／ｍ２のスパンレース繊維不織布を用いてあり、第１中間層シート２４として質量２０〜３０ｇ／ｍ２のメルトブローン繊維不織布を用いてあり、第２中間層シート２５として質量３５〜５０ｇ／ｍ２のスパンボンド繊維不織布を用いてあり、内層シート２６として質量２０〜３０ｇ／ｍ２のスパンボンド繊維不織布を用いてある。
【００３３】
マスク本体２０の両側部２２は、図２に示すように、後方へ凸曲状に延びる上凸曲部分（凸部）５１と、下凸曲部分（凸部）５２と、上凸曲部分５１と下凸曲部分５２との間において前方へ凹となる凹曲部分（凹部）５３とを有する。上下凸曲部分５１，５２は、なだらかなカーブ状を有し、凹曲部分５３は上下凸曲部分５１，５２に比べて曲率半径が小さく、急なカーブ状を有する。凹曲部分５３は、連続して上下方向Ｙへ延びる上下凸曲部分５１，５２の間に位置する部分であるから、それらの一部と重なっている。両側部２２における上凸曲部分５１及び下凸曲部分５２、並びに凹曲部分５３がいずれも曲線状であるため、肌に触れても肌を強く刺激することがない。加えて、凹曲部分５３に着用者の耳を入れることができるため、耳掛け部４０の自由部４２が長くなるのを防止し、着用状態において、着用者の顔面からマスク本体２０がずれるのを抑えることができる。なお、上下凸曲部分５１，５２及び凹曲部分はカーブ状に限られず、直状でもよい。
【００３４】
【表１】
2019183356.tif 000003
【００３５】
表１の比較例１に示すマスクでは、上下凸曲部分５１，５２及び凹曲部分５３の曲率半径が小さいため、着用者の耳の大きさに対して凹曲部分５３を含む、耳掛け部４０における両端部４１ａ，４１ｂの縦方向の寸法（両端部４１ａ，４１ｂのうち、上方に位置する一方の端部４１ａの下端から、下方に位置する他方の端部４１ｂの上端の間の距離）が狭すぎ、耳掛け部４０の両端部４１ａ，４１ｂが耳に強く接触してしまう問題があるとともに、凹曲部分５３の中央部が着用者の頬から離れてしまう（マスクの凹曲部分５３の中央部と着用者の頬との間に隙間が発生する）問題もあった。
【００３６】
表１の比較例２に示すマスクでは、凹曲部分５３の中央部が着用者の頬から離れてしまう（マスクの凹曲部分５３の中央部と着用者の頬との間に隙間が発生する）問題があった。
【００３７】
表１の比較例３に示すマスクでは、凹曲部分５３の曲率半径が大きいため、着用者の耳の大きさに対して凹曲部分５３を含む、耳掛け部４０における両端部４１ａ，４１ｂの縦方向の寸法（両端部４１ａ，４１ｂのうち、上方に位置する一方の端部４１ａの下端から、下方に位置する他方の端部４１ｂ上端の間の距離）が広すぎ、凹曲部分５３の中央部が着用者の頬から離れてしまう（マスクの凹曲部分５３の中央部と着用者の頬との間に隙間が発生する）問題があった。また、着用者の顎のラインにマスクが沿わず、マスク本体２０と着用者の顔面との間に隙間が発生する問題もあった。
【００３８】
一方、実施例１〜３に示すマスクでは、上下凸曲部分５１，５２及び凹曲部分５３の曲率半径が適当な大きさであるため、顔面とマスク本体２０の凹曲部分５３との間に隙間が発生せず、マスク本体２０が顔面にフッィトしていた。評価は、顔面に対してマスク１０がフィットしてマスク本体２０と顔面との間に隙間が発生していなかったら「○（良好）」とし、着用者の顔面にマスク１０がフィットしていないため顔面とマスク本体２０との間に隙間が発生していたら「×（不可）」とした。
【００３９】
また、両端部４１ａ，４１ｂの間の寸法から、両端部４１ａ，４１ｂの間の寸法の最大値は、３８．５ｍｍ以下が好ましい。両端部４１ａ，４１ｂの間の寸法を３８．５ｍｍとしたとき、上凸曲部分５１及び下凸曲部分５２の曲率半径の最大値は、１９．２５ｍｍになるが、上下凸曲部分５１，５２の曲率半径を１９．２５ｍｍとすると、上凸曲部分５１と下凸曲部分５２とが接触して凹曲部分５３を配置することができなくなってしまう。凹曲部分５３の最大値である９ｍｍを確保したとき、上下凸曲部分５１，５２の曲率半径の最大値は、（３８．５ｍｍ−９ｍｍ）÷２=１４．２５ｍｍ（およそ１４ｍｍ）となる。
【００４０】
上述の評価から、上凸曲部分５１の曲率半径は、例えば、８〜１４ｍｍが好ましい。下凸曲部分５２の曲率半径は、例えば、８〜１４ｍｍが好ましい。また、凹曲部分５３の曲率半径は、５〜９ｍｍが好ましい。
【００４１】
縦断シール域３９と凹曲部分５３との幅方向Ｘの寸法は、表１の結果、およびドライエッジ部分７０を確保しながら、凹曲部分５３の中央部と着用者の頬との間に隙間が発生しないようにするため、１０〜１５ｍｍが好ましい。
【００４２】
耳掛け部４０は、好ましくは弾性的に伸縮可能なものであって、不織布や織布、プラスチックフィルム、ゴムひも、織りゴム等の公知の材料によって形成される。特に、耳掛け部４０に織りゴムを用いた場合には、耳掛け部４０が比較的に幅広であっても、着用者の耳３に柔軟に接触して強い痛みを与えるおそれがない。
【００４３】
耳掛け部４０は、マスク本体に固定された両端部４１ａ，４１ｂと、両端部４１ａ，４１ｂの間において環状に延びる自由部４２とを有している。耳掛け部４０の両端部４１ａ，４１ｂは、両側部２２の外面において上凸曲部分５１に位置する上固定部６１と、下凸曲部分５２に位置する下固定部６２とを介してそれぞれマスク本体２０に固定されている。上下固定部６１，６２においては、耳掛け部４０の両端とマスク本体２０とが熱溶着加工によって接合され（図４（ａ）参照）、マスク本体２０を形成するシート２５，２６の一部が溶着してフィルム化している。また、耳掛け部４０の両端部４１ａ，４１ｂが両側部２２の外面に位置することから、着用時において耳掛け部４０が後方へ引っ張られたときに両端部４１ａ，４１ｂによって両側部２２を顔面に押し当てることができる。
【００４４】
図３を参照すると、上下固定部６１，６２は、例えば、四隅を曲線状にした長方形であり、長方形の対角線の交点である中心点６１ａ，６２ａを有する。上下固定部６１，６２は、図示例の他に、三角形、正方形、多角形、円形、楕円形等の公知の形状であってもよく、上下固定部６１，６２が円形であるときには円の中心が、上下固定部６１，６２の中心点となる。すなわち、上下固定部６１，６２の中心点６１ａ，６２ａとは、上下固定部６１，６２の重心であるといえる。
【００４５】
シールライン３０は、図１及び図３に示すように、マスク本体２０が折り畳まれた状態の側面視において曲線状であって、２つの変曲点３４，３５を有する。ここで、変曲点３４，３４とは、曲線と曲線とが交差する部位であって、直線と直線、または直線と曲線とが交差する部位を含むものではない。
【００４６】
図４（ｂ）を参照すると、シールライン３０は、例えば、３つの円弧、上方に位置する第１円弧Ｃ１、下方に位置する第２円弧Ｃ２、第１円弧Ｃ１及び第２円弧Ｃ２の間に位置する第３円弧Ｃ３によって画成される。第１円弧Ｃ１と第３円弧Ｃ３との交点が上変曲点３４であり、第２円弧Ｃ２と第３円弧Ｃ３との交点が下変曲点３５である。
【００４７】
第１円弧Ｃ１の半径Ｒ１は、例えば、８５〜１００ｍｍであり、第２円弧Ｃ２の半径Ｒ２は、例えば、５０〜６５ｍｍであり、第３円弧Ｃ３の半径Ｒ３は、例えば、９５〜１１０ｍｍである。第３円弧Ｃ３の半径Ｒ３が、第１円弧Ｃ１の半径Ｒ１よりも大きく、かつ、第２円弧Ｃ２の半径Ｒ２よりも大きい。したがって、第３円弧Ｃ３によって形成されるシールライン３０の中央部分は、第１及び第２円弧Ｃ１，Ｃ２によって形成される上下側部分に比べて緩やかなカーブ状を有する。また、第２円弧Ｃ２の半径Ｒ２は、第１円弧Ｃ１の半径Ｒ１よりも小さくなっている。したがって、第１円弧Ｃ１によって形成される上側部分は、第２円弧Ｃ２によって形成される下側部分に比べて緩やかなカーブ状を有する。
【００４８】
図３を参照すると、上変曲点３４は、シールライン３０の上端縁３０ａとラインＱとの間に位置している。下変曲点３５は、シールライン３０の下端縁３０ｂとラインＱとの間において、下固定部６２の中心点６２ａよりも下方に位置している。
【００４９】
また、上固定部６１の中心点６１ａとシールライン３０の上端縁３０ａとを結ぶ第１仮想線（第１仮想線分）Ｋ１と、上変曲点３４とシールライン３０の上端縁３０ａとを結ぶ第２仮想線（第２仮想線分）Ｋ２とが交差してなる第１交角θ１は、下固定部６２の中心点６２ａとシールライン３０の下端縁３０ｂとを結ぶ第３仮想線（第３仮想線分）Ｋ３と、下変曲点３５とシールライン３０の下端縁３０ｂとを結ぶ第４仮想線（第４仮想線分）Ｋ４とが交差してなる第２交角θ２よりも小さい。
【００５０】
【表２】
2019183356.tif 000004
【００５１】
表２の比較例１に示すマスクでは、鼻根に対してマスク本体の中央部が浮き上がって、鼻根とマスク本体との間に隙間が生じてしまうおそれがあった。表２の比較例２に示すマスクでは、鼻の下方に対してマスク本体の中央部が離れてしまうおそれがあった。また、表２の比較例３〜４に示すマスクでは、鼻根のカーブに対して、マスク本体の中央部の曲状部分が合わず、鼻根の上方へマスク本体の上端部が張り出してしまった。一方、実施例１〜２に示すマスクでは、マスク本体の両側部及び下端部に隙間が発生せず、マスク本体が顔面にフッィトした。評価は、顔面に対してマスクがフィットしてマスク本体と顔面との間に隙間が発生していなかったら「○（良好）」とし、フィットしていない、若しくは顔面とマスク本体との間に隙間が発生していたら「×（不可）」とした。このため、第１交角θ１は、例えば、８０〜９０度が好ましい。
【００５２】
【表３】
2019183356.tif 000005
【００５３】
表３の比較例１〜３に示すマスクでは、顎の側方に位置するマスク本体の両側部の下方が顔面から浮き上がって隙間が生じてしまった。加えて、マスク本体の下端部が、着用者の下顎から張り出す態様となってマスク本体の下端部と下顎との間に隙間が生じてしまった。一方、表３の比較例４に示すマスクでは、マスク本体の下端部が、顎の先端から浮き上がって隙間が生じてしまった。加えて、マスク本体の下端部が、着用者の下顎から張り出す態様となってマスク本体の下端部と下顎との間に隙間が生じてしまった。一方、実施例１〜２に示すマスクでは、マスク本体の両側部及び下端部に隙間が発生せず、マスク本体が顔面にフッィトしていた。評価は、顔面に対してマスクがフィットしてマスク本体と顔面との間に隙間が発生していなかったら「○（良好）」とし、マスク本体が顔面にフィットせずに顔面とマスク本体との間に隙間が発生していたら「×（不可）」とした。このため、第２交角θ２は、例えば、９５〜１０５度が好ましい。
【００５４】
【表４】
2019183356.tif 000006
【００５５】
また、表４の比較例１に示すマスクでは、第４仮想線Ｋ４の長さ寸法Ｌ２が短いため、マスク本体の下端部と下顎との間に隙間が生じてしまった。表４の比較例２に示すマスクでは、第４仮想線Ｋ４の寸法Ｌ２が長いため、マスク本体の下端部が着用者の下顎から張り出す態様となってマスク本体の下端部と下顎との間に隙間が生じてしまった。一方、実施例１〜２に示すマスクでは、マスク本体の下端部と下顎とがフッィトし、マスク本体の下端部と下顎との間に隙間が生じていなかった。評価は、顔面に対してマスクがフィットしてマスク本体と顔面との間に隙間が発生していなかったら「○（良好）」とし、マスク本体が顔面にフィットせずに顔面とマスク本体との間に隙間が発生していたら「×（不可）」とした。このため、第４仮想線Ｋ４の長さ寸法Ｌ２は、例えば、１７〜３０ｍｍが好ましい。
【００５６】
第２仮想線Ｋ２の長さ寸法Ｌ１は、例えば、１０〜４５ｍｍである。第２仮想線Ｋ２の長さ寸法Ｌ１は、第４仮想線Ｋ４の長さ寸法Ｌ２よりも大きくなっている。
【００５７】
図２及び図３を参照すると、マスク本体２０の上端部２７は、幅方向Ｘの中央において凸曲した形状を有し、上端部２７の一部２７ａは、第１仮想線Ｋ１よりも上方に位置している。
【００５８】
例えば、大人用の従来のマスクでは、両側縁が直線状に延びた長方形状を有し、マスク本体の上端縁の幅寸法と下端縁の幅寸法とが同一である。一方、着用者の顔は、頬の幅寸法に比べて下顎の幅寸法が小さくなっている。加えて、幼児は、大人に比べて鼻根が低く、かつ、下顎の先端が丸いとともに下顎が小さい。このため、単に、大人用の従来のマスクを小さくしたマスクを幼児に着用すると、マスク本体の下端部が下顎の下部から張り出すような態様となって顔面とマスク本体の下端部との間に隙間が生じやすかった。加えて、マスク本体の中央部が、鼻背と頬との間を覆うことができないため、鼻背と頬との間に隙間が生じやすかった。さらに、従来のマスクでは、顔面に対してマスクを固定する位置が明確でないため、マスク本体と顔面との間に隙間が生じやすかった。
【００５９】
図５及び図６を参照すると、着用者がマスク１０を着用するとき、例えば、鼻根４にマスク本体２０の上端部２７を接触させて、次に、両方の耳３に耳掛け部４０の自由部４２を掛け、最後に、下顎の先端１と下変曲点３５とが対向するように、下顎の下部２にマスク本体２０の下端部２８を接触させて着用者の顔面にマスク１０を着用する。着用状態においては、両側部２２が後方へ引っ張られることによって、マスク本体２０の上下端部２７，２８は後方へ、すなわち、顔面へ向かって折れ曲がる。かかる折れ曲がりの起点として上下変曲点３４，３５が機能し、上下変曲点３４，３５の間において鼻孔と口５とが位置する空間Ｓが画成される。
【００６０】
本発明に係るマスク１０では、図３に示すように、上固定部６１の中心点６１ａとシールライン３０の上端縁３０ａとを結ぶ第１仮想線Ｋ１と、上変曲点３４とシールライン３０の上端縁３０ａとを結ぶ第２仮想線Ｋ２とが交差してなる第１交角θ１は、下固定部６２の中心点６２ａとシールライン３０の下端縁３０ｂとを結ぶ第３仮想線Ｋ３と、下変曲点３５とシールライン３０の下端縁３０ｂとを結ぶ第４仮想線Ｋ４とが交差してなる第２交角θ２よりも小さくなっている（第１要件）。
【００６１】
これによって、上変曲点３４が上固定部６１の中心点６１ａと前方に対向して位置してシールライン３０の比較的に高い位置にあり、大人に比べて鼻筋の短い幼児の鼻にも上端部２７がフィットする。また、下変曲点３５が下固定部６２の下方であってシールライン３０の比較的に低い位置にあることから、下端部２８が横に拡がるように丸い形状を有する幼児の下顎に対向してフィットされる。
【００６２】
また、マスク本体２０の上端部２７は、幅方向Ｘの中央において凸曲した形状を有し、上端部２７の一部２７ａは、第１仮想線Ｋ１よりも上方に位置する（第２要件）。幼児の鼻根４は、大人と比較して低く横に拡がった形状を有することから、上端部２７が第１仮想線Ｋ１よりも下方に位置する場合には、鼻根４の一部が外部に露出されてマスク本体２０と顔面との間に隙間が生じる原因となるおそれがある。本実施形態においては、上端部２７の一部２７ａが第１仮想線Ｋ１よりも上方に位置することによって、鼻根４の横側部分全体を被覆してマスク本体２０と顔面と間に隙間が形成されるのを抑制することができる。また、上端部２７が曲状を有することによって、鼻根４に触れても刺激を与えるおそれはない。
【００６３】
さらに、第２仮想線Ｋ２は、第４仮想線Ｋ４よりも長くなっている（第３要件）。これによって、着用状態において、上端部２７が鼻背全体にフィットされるとともに、下端部２８が下顎の下方へ先鋭状に突出して隙間が形成されたり、正面視においてマスク本体２０が縦長となって、実際の顔よりも面長な印象を与えることはない。
【００６４】
以上のとおり、シールライン３０が、これらの３つの要件を全て備えることによって、口５の前方に空間Ｓを有するとともに、大人に比べて鼻根４と頬が低く、かつ、下顎の先端１が丸いとともに下顎の幅が狭い幼児の顔面に隙間なくフィットするマスク１０を提供することができる。加えて、下顎の先端１と下変曲点３５とが対向するように、下顎の下部２にマスク本体２０の下端部２８を接触させてマスク１０を着用するため、顔面に対してマスク１０を固定する位置が明確となる。マスク１０が正しい位置で着用されることで、マスク本体２０と顔面との間に隙間が生じ難くなるとともに、着用中にマスク本体２０が顔面からずれることを防止することができる。マスク本体の上端縁及び下端縁が、幅方向及び上下のそれぞれに対して傾斜するとともに、幅方向の中央に位置するシールラインを介して折り畳むことが可能である従来の大人用マスクを単に縮小しただけのマスクでは、上述したような作用・効果を奏することはできない。
【００６５】
従来のマスクにおける両側縁では、着用者の曲状の頬部に沿わせるように密着させることが困難であって、顔面との間に隙間が生じ易くなる。特に耳掛け部の引っ張り力によって顔面に押し当てられる上下固定部の間に位置する部分は顔面から浮き上り易くなる。一方、本発明に係るマスク１０では、上下固定部６１，６２に隣接する部分には、溶着部３８ａ，３８ｂ，３９ａ，３９ｂが存在しない非存在域５４を配置してあるため、上下固定部６１，６２の周囲では適度な柔軟性を有する一方、非存在域５４に隣接するとともに囲繞する態様で溶着部３８ｂ，３９ａ，３９ｂを配置してあるため、非存在域５４の周囲に位置する溶着部３８ｂ，３９ａ，３９ｂが適度な剛性を有することによって、凹曲部分５３を含む両側部２２が、着用者の顔面から浮き上がるのを防止することができる。特に、凹曲部分５３は、前方へ抉れるように凹曲しているとともに、凹曲部分５３の中央部は、上下固定部６１，６２の最も内方に位置する両端よりも、さらに内方に位置するため、上下固定部６１，６２の周囲の変形を容易にし、胴体に対して顔面を動かしたときにも、マスク本体２０が顔面からずれるのを防止することができるとともに、溶着部３８ｂ，３９ａ，３９ｂによって、両側部２２が顔面から浮き上ることを抑制することができる。また、凹曲部分５３と縦断シール域３９とが最も近接する部位５５においても非存在域５４が存在し、非存在域５４が上下方向へ連続することによって、上述した作用・効果を確実にすることができる。
【００６６】
マスク本体２０における上端縁２０ａ及び下端縁２０ｂが、鋭角のコーナー部分を含まず、直線状であるか曲線状であるため、着用者及び第三者に柔らかいイメージを与えることができる。加えて、両側部２２における上下凸曲部分５１，５２及び凹曲部分５３がいずれも曲線状であるため、肌に触れても肌を強く刺激することがない。
【００６７】
マスク本体２０の上端縁２０ａは、シールライン３０の上方から幅方向Ｘのそれぞれへ延びる中央部位３６ａと、中央部位３６ａの端部から幅方向Ｘへ延びる一対の両側部位３６ｂとによって画成され、両側部位３６ｂは、幅方向Ｘの中央が下方へ向けて凹む曲線状であるため、着用中にマスク本体２０が上方へずれても、目６にマスク１０の上端縁２０ａが当たるのを防止することができる。このため、段落［００６１］〜［００６３］の作用・効果に付加して、鼻根の低い幼児の鼻の周囲にフィットして、マスク本体２０の上端部２７と顔面との間に隙間ができることを防止しながら、頬が高い幼児の顔の目６にマスク１０の上端縁２０ａが当たるのを防止することができる。
【００６８】
図示していないが、マスク１０の他の実施形態として、マスク本体２０の下側部分の外面に、印刷によって花柄やキャラクター、文字、符号及び記号等の装飾要素をワンポイントで配置してもよい。かかる装飾要素は、意匠性を向上させるとともに、着用者にマスク１０の上下を知らせるための識別要素としても機能しうる。特に、マスク１０は、従来のマスクとは異なる特異な外形を有することから瞬時に上下を識別することができないので、かかる識別要素が有効に機能するといえる。また、意匠性を向上するという観点から、例えば、人間に模したような装飾デザインをマスク本体２０の形状に合わせて施してもよい。もちろん、装飾要素は、上記のような機能を有するものであれば、ワンポイントのものに限られず、口鼻覆い部２１の全体、又はマスク本体２０の全体に配置してもよい。
【００６９】
また、図２に示すように、マスク本体２０を拡げた状態において、下固定部６２の中心点６２ａどうしの長さ寸法Ｌ３よりも、上固定部６１の中心点６１ａどうしの寸法Ｌ４が大きければ、マスク本体２０の上端部２７における上固定部６１どうしの距離を大きくし、空間Ｓを大きくするとともに、大人に比べて耳３の位置が低い幼児の顔面にマスク１０をフィットさせることができる。なお、マスク本体２０を拡げた状態とは、平坦な物の上にマスク本体２０を置いたとき、マスク本体２０のシールライン３０の近傍を除いた部分が、平坦な物の上面に平行となる状態をいう。
【００７０】
マスク１０を構成する部材には、特に明記されていない限りにおいて、本明細書に記載されている材料のほかに、この種の分野において通常用いられている公知の材料を制限なく用いることができる。また、本明細書において使用されている「第１」及び「第２」等の用語は、同様の要素、位置等を単に区別するために用いてある。
【符号の説明】
【００７１】
１０    使い捨てマスク
２０    マスク本体
２１    口鼻覆い部
２２    両側部
２３    外層シート（シート）
２４    第１中間層シート（シート）
２５    第２中間層シート（シート）
２６    内層シート（シート）
２７    上端部
３０    シールライン
３０ａ  上端縁
３０ｂ  下端縁
３４    上変曲点
３５    下変曲点
３６ａ  中央部位
３６ｂ  両側部位
３８ａ  第１溶着部（溶着部）
３８ｂ  第２溶着部（溶着部）
３９ａ  第３溶着部（溶着部）
３９ｂ  第３溶着部（溶着部）
４０    耳掛け部
５１    上凸曲部分（凸部）
５２    下凸曲部分（凸部）
５３    凹曲部分（凹部）
６１    上固定部
６２    下固定部
６１ａ  （上固定部の）中心点
６２ａ  （下固定部の）中心点
Ｋ１    第１仮想線
Ｋ２    第２仮想線
Ｋ３    第３仮想線
Ｋ４    第４仮想線
Ｌ１    第２仮想線Ｋ２の長さ寸法
Ｌ２    第４仮想線Ｋ４の長さ寸法
Ｑ      ライン（横中心線）
Ｘ      幅方向Ｘ
Ｙ      上下方向
θ１    第１交角
θ２    第２交角
【図１】
2019183356.tif 000007
【図２】
2019183356.tif 000008
【図３】
2019183356.tif 000009
【図４】
2019183356.tif 000010
【図５】
2019183356.tif 000011
【図６】
2019183356.tif 000012
【手続補正書】
【提出日】平成30年5月30日(2018.5.30)
【手続補正１】
【補正対象書類名】特許請求の範囲
【補正対象項目名】全文
【補正方法】変更
【補正の内容】
【特許請求の範囲】
【請求項１】
上下方向及び幅方向を有し、口鼻覆い部を有するマスク本体と、前記マスク本体の両側部に取り付けられる一対の耳掛け部とを含む使い捨てマスクにおいて、
前記耳掛け部の両端は、前記マスク本体の側部に位置して前記上下方向へ離隔する上固定部及び下固定部を介して前記マスク本体に固定され、
前記マスク本体の前記両側部は、前記上固定部及び前記下固定部にそれぞれ隣接して後方側へ向けて突出する一対の凸部と、前記一対の凸部の間に位置して前方側へ向けて凹む凹部とを有し、
前記一対の凸部及び前記凹部の輪郭は曲線状を有し、前記凹部の輪郭の曲率半径が、前記一対の凸部の輪郭における曲率半径よりも小さく、
前記マスク本体は、熱可塑性合成樹脂で形成された繊維不織布のシートを複数積層することによって形成してあり、
前記口鼻覆い部の前記幅方向の両側には、間隔をあけて前記上下方向へ列状に配置し、前記シートを溶着した溶着部を有し、
前記両側部は、外周縁に沿って間隔をあけて配置し、前記シートを溶着した前記溶着部を有し、
前記マスク本体は、前記上固定部および前記下固定部に隣接する部分に位置して前記溶着部が存在しない非存在域を有し、
前記非存在域は、前記上下方向へ列状に配置してある前記溶着部と、前記両側部の前記外周縁に沿って配置してある前記溶着部とによって囲繞されることを特徴とするマスク。
【請求項２】
前記上下方向へ列状に配置した前記溶着部の中央部が前記凹部に隣接する請求項１に記載のマスク。
【請求項３】
前記マスク本体の上端縁は、前記幅方向の中央部分において上方へ凸曲する中央部位と、前記中央部位の両側において下方へ凸曲した形状を有する両側部位とを有する請求項１又は２に記載のマスク。
【請求項４】
幼児用である請求項１〜３のいずれかに記載のマスク。
【手続補正２】
【補正対象書類名】明細書
【補正対象項目名】０００８
【補正方法】変更
【補正の内容】
【０００８】
本発明に係る使い捨てマスクは、耳掛け部の両端は、マスク本体の側部に位置して上下方向へ離隔する上固定部及び下固定部を介してマスク本体に固定され、マスク本体の両側部は、上固定部及び下固定部にそれぞれ隣接して後方側へ向けて突出する一対の凸部と、一対の凸部の間に位置して前方側へ向けて凹む凹部とを有し、一対の凸部及び凹部の輪郭は曲線状を有し、マスク本体の凹部の輪郭の曲率半径が、一対の凸部の輪郭における曲率半径よりも小さく、マスク本体は、熱可塑性合成樹脂で形成された繊維不織布のシートを複数積層することによって形成してあり、口鼻覆い部の幅方向の両側には、間隔をあけて上下方向へ列状に配置し、シートを溶着した溶着部を有し、両側部は、外周縁に沿って間隔をあけて配置し、シートを溶着した溶着部を有し、マスク本体は、上固定部および下固定部に隣接する部分に位置して溶着部が存在しない非存在域を有し、非存在域は、上下方向へ列状に配置してある溶着部と、両側部の外周縁に沿って配置してある溶着部とによって囲繞されることを特徴とする。